(57)【要約】【課題】高さ方向における挿通穴の位置を医療従事者の腕の位置に合わせ、衝立の一方側から他方側へグローブを挿通させることができるグローブ挿通衝立を提供する。【解決手段】グローブ挿通衝立１００は、設置面と接触する脚部１１０と、脚部から上方へ延設されたフレーム部１２０と、フレーム部に取り付けられた板状であって少なくとも一部が透明な第１衝立部１３０と、第１衝立部に設けられた一対のグローブＧＶを挿通自在な一対の挿通穴１４０とを備えている。フレーム部が、下側フレーム部分１２１と、下側フレーム部分の上側に配設されて下側フレーム部分に対して上下方向にスライドする上側フレーム部分１２２とを有して上下方向に伸縮自在に設けられている。第１衝立部が、上側フレーム部分に取り付けられ、第１衝立部の位置が、上下方向に調整自在である。【選択図】図１
0003233039.tif 000002
【実用新案登録請求の範囲】
【請求項１】
衝立の一方側から他方側へグローブを挿通させるグローブ挿通衝立であって、
設置面と接触する脚部と、
前記脚部から上方へ延設されたフレーム部と、
前記フレーム部に取り付けられた板状であって少なくとも一部が透明な第１衝立部と、
前記第１衝立部に設けられた一対のグローブを挿通自在な一対の挿通穴とを備え、
前記フレーム部が、下側フレーム部分と、下側フレーム部分の上側に配設されて下側フレーム部分に対して上下方向にスライドする上側フレーム部分とを有して上下方向に伸縮自在に設けられ、
前記第１衝立部が、前記上側フレーム部分に取り付けられ、
前記第１衝立部の位置が、上下方向に調整自在であることを特徴とするグローブ挿通衝立。
【請求項２】
前記脚部が、前記衝立の一方側へ延設された箇所に衝立の幅方向に延びて設けられた押さえバーと、衝立の他方側へ延設された箇所に設けられたキャスターとを備えていることを特徴とする請求項１に記載のグローブ挿通衝立。
【請求項３】
前記フレーム部が、伸縮を調整自在なつまみを有し、
前記第１衝立部が、前記フレーム部に対して衝立の他方側に取り付けられ、
前記つまみが、前記第１衝立部に対して衝立の一方側に位置することを特徴とする請求項１または請求項２に記載のグローブ挿通衝立。
【請求項４】
前記挿通穴にグローブ取付部が設けられ、第１衝立部を基準とした衝立の一方側に突出した第１環状部分と、第１環状部分より衝立の一方側に第１環状部分より外径が大となる第２環状部分とを有し、
グローブ基端であるグローブ入り口の環状ゴムが、前記第１環状部分の外周に取り付けられる構成であることを特徴とする請求項１乃至請求項３のいずれか１つに記載のグローブ挿通衝立。
【請求項５】
前記フレーム部の下側フレーム部分に取り付けられた板状の第２衝立部をさらに有し、
前記上側フレーム部分を上下方向に移動させると、前記第２衝立部が、前記上下方向に移動せずに、前記第１衝立部が、前記第２衝立部に対して衝立の一方側から他方側へ視て少なくとも一部を重ねた状態で上下方向に移動することを特徴とする請求項１乃至請求項４のいずれか１つに記載のグローブ挿通衝立。
【考案の詳細な説明】
【技術分野】
【０００１】
本考案は、衝立の一方側から他方側へグローブを挿通させるグローブ挿通衝立に関する。
【背景技術】
【０００２】
従来、それぞれ紙製の左側板部と中央板部と右側板部とを備え、一部が透明シート部で構成されており、中央板部の左右端部に、それぞれ折り畳み支点となる第一屈折部および第二屈折部を介して左側板部と右側板部とが連設されており、左側板部と右側板部とは、それぞれ第一屈折部および第二屈折部を介して中央板部に対面するように折り畳まれる構成とされていることを特徴とする飛沫拡散防止用衝立が知られている（例えば、特許文献１）。
【先行技術文献】
【特許文献】
【０００３】
【特許文献１】実用新案登録第３２２８４９７号公報
【考案の概要】
【考案が解決しようとする課題】
【０００４】
しかしながら、上述した従来の飛沫拡散防止用衝立は、衝立の一方側と他方側とを単に仕切っている構造であったため、飛沫による感染防止対策を取りつつ、医療従事者が被験者（患者、検査対象者などを含む。以下同様。）に対して検査などを行う場面などにおいて、衝立の一方側から他方側へグローブを挿通させることができないという問題があった。
さらに、医療従事者毎に腕の高さが異なるという問題もある。
【０００５】
そこで、本考案は、前述したような従来技術の問題を解決するものであって、すなわち、本考案の目的は、高さ方向における挿通穴の位置を医療従事者の腕の位置に合わせ、衝立の一方側から他方側へグローブを挿通させることができるグローブ挿通衝立を提供することである。
【課題を解決するための手段】
【０００６】
本請求項１に係る考案は、衝立の一方側から他方側へグローブを挿通させるグローブ挿通衝立であって、設置面と接触する脚部と、前記脚部から上方へ延設されたフレーム部と、前記フレーム部に取り付けられた板状であって少なくとも一部が透明な第１衝立部と、前記第１衝立部に設けられた一対のグローブを挿通自在な一対の挿通穴とを備え、前記フレーム部が、下側フレーム部分と、下側フレーム部分の上側に配設されて下側フレーム部分に対して上下方向にスライドする上側フレーム部分とを有して上下方向に伸縮自在に設けられ、前記第１衝立部が、前記上側フレーム部分に取り付けられ、前記第１衝立部の位置が、上下方向に調整自在であることにより、前述した課題を解決するものである。
【０００７】
本請求項２に係る考案は、請求項１に記載されたグローブ挿通衝立の構成に加えて、前記脚部が、前記衝立の一方側へ延設された箇所に衝立の幅方向に延びて設けられた押さえバーと、衝立の他方側へ延設された箇所に設けられたキャスターとを備えていることにより、前述した課題をさらに解決するものである。
【０００８】
本請求項３に係る考案は、請求項１または請求項２に記載されたグローブ挿通衝立の構成に加えて、前記フレーム部が、伸縮を調整自在なつまみを有し、前記第１衝立部が、前記フレーム部に対して衝立の他方側に取り付けられ、前記つまみが、前記第１衝立部に対して衝立の一方側に位置することにより、前述した課題をさらに解決するものである。
【０００９】
本請求項４に係る考案は、請求項１乃至請求項３のいずれか１つに記載されたグローブ挿通衝立の構成に加えて、前記挿通穴にグローブ取付部が設けられ、第１衝立部を基準とした衝立の一方側に突出した第１環状部分と、第１環状部分より衝立の一方側に第１環状部分より外径が大となる第２環状部分とを有し、グローブ基端であるグローブ入り口の環状ゴムが、前記第１環状部分の外周に取り付けられる構成であることにより、前述した課題をさらに解決するものである。
【００１０】
本請求項５に係る考案は、請求項１乃至請求項４のいずれか１つに記載されたグローブ挿通衝立の構成に加えて、前記フレーム部の下側フレーム部分に取り付けられた板状の第２衝立部をさらに有し、前記上側フレーム部分を上下方向に移動させると、前記第２衝立部が、前記上下方向に移動せずに、前記第１衝立部が、前記第２衝立部に対して衝立の一方側から他方側へ視て少なくとも一部を重ねた状態で上下方向に移動することにより、前述した課題をさらに解決するものである。
【考案の効果】
【００１１】
本考案のグローブ挿通衝立は、第１衝立部に設けられた一対のグローブを挿通自在な挿通穴を備えていることにより、衝立の一方側から他方側へグローブを挿通させることができるばかりでなく、以下のような特有の効果を奏することができる。
【００１２】
本請求項１に係る考案のグローブ挿通衝立によれば、医療従事者の腕の位置に応じて第１衝立部の位置が調整自在となるため、高さ方向における挿通穴の位置を医療従事者の腕の位置に合わせることができる。
そして、医療従事者と患者、検査対象者などの被験者との間にグローブ挿通衝立を設置して、医療従事者は、手や腕を挿通穴にセットされたグローブに挿通して第１衝立部の透明箇所から目視しながら被験者に対して検査などを行うことができる。
この際、医療従事者と被験者との間にグローブ挿通衝立があり、両者の間の空間が仕切られるため、飛沫による感染を防止できる。
【００１３】
本請求項２に係る考案のグローブ挿通衝立によれば、請求項１に係る考案が奏する効果に加えて、医療従事者側となる一方側に押さえバーが位置し、医療従事者は押さえバーを片方の足裏で押さえながら被験者対応を行うと医療従事者の体重が押さえバーに作用してグローブ挿通衝立の重しとなるため、グローブ挿通衝立の姿勢を安定させることができ、グローブ挿通衝立が軽量である場合であっても、倒れてしまうことを回避することができる。特に、グローブ挿通衝立が被験者側へ倒れてしまうことを回避することができる。
さらに、グローブ挿通衝立を移動させたい場合、フレーム部を持つことで押さえバーが設置面から離れてグローブ挿通衝立の自重がキャスターに作用するため、医療従事者などのユーザーはグローブ挿通衝立を簡単に移動することができる。
【００１４】
本請求項３に係る考案のグローブ挿通衝立によれば、請求項１または請求項２に係る考案が奏する効果に加えて、つまみの位置が第１衝立部を基準とした医療従事者となるため、被験者がくしゃみや咳をした場合の飛沫がつまみに付着することを防止し、高さ調整による感染リスクを回避することができる。
【００１５】
本請求項４に係る考案のグローブ挿通衝立によれば、請求項１乃至請求項３のいずれか１つに係る考案が奏する効果に加えて、使用済みグローブを取り外す際、手を抜きながらグローブを挿通穴から抜くとグローブの裏表が逆になり使用済みグローブの表面が内側になるため、グローブをそのまま廃棄用袋などに入れて使用済みグローブの表面を触れずに処分することができる。
また、新しいグローブを取り付ける際、新しいグローブの先端側を挿通穴に挿通し、グローブ入り口の環状ゴムを第１環状部分の外周にセットするだけでよいため、グローブを簡単にセットすることができる。
さらに、挿通穴において衝立の他方側から一方側へ通じる隙間がなくなり、両者の間の空間が完全に仕切られるため、飛沫による感染をより確実に防止できる。
【００１６】
本請求項５に係る考案のグローブ挿通衝立によれば、請求項１乃至請求項４のいずれか１つに係る考案が奏する効果に加えて、第２衝立部が医療従事者の足下と被験者の足下との間の空間を仕切るため、飛沫による感染をより一層確実に防止できる。
【図面の簡単な説明】
【００１７】
【図１】本考案の実施例であるグローブ挿通衝立の概念を示す斜視図。
【図２】（Ａ）（Ｂ）は図１に示す符号２Ａから視た正面図および符号２Ｂから視た側面図。
【図３】本考案の実施例であるグローブ挿通衝立の第２衝立部を取り外して上側フレーム部分を下げた状態を示す正面図。
【図４】（Ａ）〜（Ｄ）はグローブをグローブ取付部に取り付ける様子および取り外す様子を示す図。
【考案を実施するための形態】
【００１８】
本考案のグローブ挿通衝立は、設置面と接触する脚部と、脚部から上方へ延設されたフレーム部と、フレーム部に取り付けられた板状であって少なくとも一部が透明な第１衝立部と、第１衝立部に設けられた一対のグローブを挿通自在な一対の挿通穴とを備え、フレーム部が、下側フレーム部分と、下側フレーム部分の上側に配設されて下側フレーム部分に対して上下方向にスライドする上側フレーム部分とを有して上下方向に伸縮自在に設けられ、第１衝立部が、上側フレーム部分に取り付けられ、第１衝立部の位置が、上下方向に調整自在であることにより、高さ方向における挿通穴の位置を医療従事者の腕の位置に合わせることができ、医療従事者は、手や腕を挿通穴にセットされたグローブに挿通して第１衝立部の透明箇所から目視しながら被験者に対して検査などを行うことができ、飛沫による感染を防止できるものであれば、その具体的な実施態様は、如何なるものであっても構わない。
【００１９】
例えば、第１衝立部は、少なくとも一部が透明であれば如何なるものであっても構わない。
また、一対の挿通穴は、一対のグローブが挿通自在であればよく、一対のグローブを一対の挿通穴に取り付けてそれぞれ挿通するタイプでもよいし、一対の挿通穴に所謂、菊割れゴムを取り付けて一対のグローブをそれぞれ挿通するタイプでもよい。
さらに、フレーム部は、上側フレーム部分が下側フレーム部分に対して上下方向にスライドして上下方向に伸縮するものであれば如何なるものであっても構わない。
【実施例】
【００２０】
以下に、本考案の実施例であるグローブ挿通衝立１００について、図１乃至図４（Ｄ）に基づいて説明する。
ここで、図１は、本考案の実施例であるグローブ挿通衝立１００の概念を示す斜視図であり、図２（Ａ）は、図１に示す符号２Ａから視た正面図であり、図２（Ｂ）は、図１に示す符号２Ｂから視た側面図であり、図３は、本考案の実施例であるグローブ挿通衝立１００の第２衝立部１６０を取り外して上側フレーム部分１２２を下げた状態を示す正面図であり、図４（Ａ）は、グローブＧＶをグローブ取付部１５０に取り付ける際の様子を示す図であり、図４（Ｂ）は、グローブＧＶをグローブ取付部１５０に取り付けた様子を示す図であり、図４（Ｃ）は、グローブＧＶを挿通穴１４０から引き抜いた様子を示す図であり、図４（Ｄ）は、グローブＧＶをグローブ取付部１５０から取り外す際の様子を示す図である。
【００２１】
本考案の実施例であるグローブ挿通衝立１００は、図１〜図３に示すように、衝立の一方側Ｓ１から他方側Ｓ２へグローブＧＶを挿通させるように設けられている。
具体的に、グローブ挿通衝立１００は、脚部１１０と、フレーム部１２０と、第１衝立部１３０と、一対の挿通穴１４０とを備えている。
このうち、脚部１１０は、設置面と接触するように設けられている。
【００２２】
また、フレーム部１２０は、脚部１１０から上方へ延設されている。
さらに、第１衝立部１３０は、板状に形成されてフレーム部１２０に取り付けられ、少なくとも一部が透明に設けられている。
より具体的には、第１衝立部１３０は、一例として、全体的に透明な板状に形成されている。
なお、第１衝立部１３０の透明箇所について、医療従事者の顔と対向する箇所が、少なくとも透明であればよい。
また、一対の挿通穴１４０は、第１衝立部１３０に、一対のグローブＧＶをそれぞれ挿通自在に設けられている
【００２３】
さらに、フレーム部１２０が、下側フレーム部分１２１と、下側フレーム部分１２１の上側に配設されて下側フレーム部分１２１に対して上下方向にスライドする上側フレーム部分１２２とを有して上下方向に伸縮自在に設けられている。
より具体的には、フレーム部１２０が、つまみ１２３を有し、つまみ１２３を緩めると、上側フレーム部分１２２が、下側フレーム部分１２１に対して鉛直方向である上下方向にスライド自在となる。
他方、つまみ１２３を締めると、上側フレーム部分１２２が、下側フレーム部分１２１に対して固定されるように構成されている。
【００２４】
また、第１衝立部１３０が、上側フレーム部分１２２に取り付けられている。
より具体的には、第１衝立部１３０の左右両側方は、一例として、ストラップやリング状ワイヤーによって上側フレーム部分１２２に取り付けられている。
また、第１衝立部１３０の上方は、一例として、リング状金具によって上側フレーム部分１２２の上側補助バー１２２ａに吊り下げるようにして取り付けられている。
そして、第１衝立部１３０の位置が、上下方向に調整自在に設けられている。
【００２５】
これにより、図１〜図３に示すように、医療従事者の腕の位置に応じて第１衝立部１３０の位置が調整自在となる。
その結果、高さ方向における挿通穴１４０の位置を医療従事者の腕の位置に合わせることができる。
そして、医療従事者と患者、検査対象者などの被験者との間にグローブ挿通衝立１００を設置して、医療従事者は、手や腕を挿通穴１４０にセットされたグローブＧＶに挿通して第１衝立部１３０の透明箇所から目視しながら被験者に対して検査などを行うことができる。
この際、医療従事者と被験者との間にグローブ挿通衝立１００があり、両者の間の空間が仕切られる。
その結果、飛沫による感染を防止できる。
なお、上側フレーム部分１２２の位置を上がった位置から下げる際、第１衝立部１３０の左右両側方のストラップを、必要に応じて一度上側フレーム部分１２２から外してから下側フレーム部分１２１に着け直す。
また、上側フレーム部分１２２の位置を下がった位置から上げる際、第１衝立部１３０の左右両側方のストラップを、必要に応じて一度下側フレーム部分１２１から外してから上側フレーム部分１２２に着け直す。
医療従事者が椅子に座って被験者に対して検査などを行う場合、図３に示すように、上側フレーム部分１２２の位置を下げることにより、第１衝立部１３０の位置の位置を下げればよい。
【００２６】
さらに、本実施例では、脚部１１０が、衝立の一方側Ｓ１へ延設された箇所に衝立の幅方向に延びて設けられた押さえバー１１１と、衝立の他方側Ｓ２へ延設された箇所に設けられたキャスター１１２とを備えている。
これにより、医療従事者側となる衝立の一方側Ｓ１に押さえバー１１１が位置し、医療従事者は押さえバー１１１を片方の足裏で押さえながら被験者対応を行うと医療従事者の体重が押さえバー１１１に作用してグローブ挿通衝立１００の重しとなる。
【００２７】
その結果、グローブ挿通衝立１００の姿勢を安定させることができ、グローブ挿通衝立１００が軽量である場合であっても、倒れてしまうことを回避することができる。
特に、グローブ挿通衝立１００が被験者側へ倒れてしまうことを回避することができる。
さらに、グローブ挿通衝立１００を移動させたい場合、フレーム部１２０を持つことで押さえバー１１１が設置面から離れてグローブ挿通衝立１００の自重がキャスター１１２に作用する。
その結果、医療従事者などのユーザーはグローブ挿通衝立１００を簡単に移動することができる。
【００２８】
また、本実施例では、フレーム部１２０が、伸縮を調整自在なつまみ１２３を有している。
そして、図１〜図３に示すように、第１衝立部１３０が、フレーム部１２０に対して衝立の他方側Ｓ２に取り付けられ、つまみ１２３が、第１衝立部１３０に対して衝立の一方側Ｓ１に位置するように構成されている。
これにより、つまみ１２３の位置が第１衝立部１３０を基準とした医療従事者となる。
その結果、被験者がくしゃみや咳をした場合の飛沫がつまみ１２３に付着することを防止し、高さ調整による感染リスクを回避することができる。
【００２９】
さらに、本実施例では、図４（Ａ）〜図４（Ｄ）に示すように、挿通穴１４０にグローブ取付部１５０が設けられている。
具体的に、グローブ取付部１５０は、第１衝立部１３０を基準とした衝立の一方側Ｓ１に突出した第１環状部分１５１と、第１環状部分１５１より衝立の一方側Ｓ１に第１環状部分１５１より外径が大となる第２環状部分１５２とを有している。
そして、グローブＧＶ基端であるグローブＧＶ入り口の環状ゴムＧＶ１が、第１環状部分１５１の外周に取り付けられるように構成されている。
【００３０】
これにより、図４（Ａ）および図４（Ｂ）に示すように、新しいグローブＧＶを取り付ける際、新しいグローブＧＶの先端側を挿通穴１４０に挿通し、グローブＧＶ入り口の環状ゴムＧＶ１を第１環状部分１５１の外周にセットするだけでよい。
その結果、グローブＧＶを簡単にセットすることができる。
また、図４（Ｃ）および図４（Ｄ）に示すように、使用済みグローブＧＶを取り外す際、手を抜きながらグローブＧＶを挿通穴１４０から抜くとグローブＧＶの裏表が逆になり使用済みグローブＧＶの表面が内側になる。
その結果、グローブＧＶをそのまま廃棄用袋などに入れて使用済みグローブＧＶの表面を触れずに処分することができる。
【００３１】
さらに、本実施例では、図１〜図２（Ｂ）に示すように、グローブ挿通衝立１００が、フレーム部１２０の下側フレーム部分１２１に取り付けられた板状の第２衝立部１６０をさらに有している。
より具体的には、第２衝立部１６０は、一例として、全体的に透明な板状に形成されている。
さらに、第２衝立部１６０の上方は、一例として、リング状金具によって下側フレーム部分１２１の吊り下げ用バー１２１ａに吊り下げるようにして取り付けられている。
【００３２】
また、第２衝立部１６０の左右両側方は、一例として、リング状ワイヤーによって下側フレーム部分１２１に取り付けられている。
さらに、第２衝立部１６０の下方は、一例として、リング状金具によって下側フレーム部分１２１の下側補助バー１２１ｂに連結させて取り付けられている。
そして、上側フレーム部分１２２を上下方向に移動させると、第２衝立部１６０が、上下方向に移動せずに、第１衝立部１３０が、第２衝立部１６０に対して衝立の一方側Ｓ１から他方側Ｓ２へ視て少なくとも一部を重ねた状態で上下方向に移動するように設けられている。
【００３３】
これにより、第２衝立部１６０が医療従事者の足下と被験者の足下との間の空間を仕切る。
その結果、飛沫による感染をより確実に防止できる。
なお、第２衝立部１６０は、取り外し自在に設けられている。
そして、医療従事者が椅子に座って被験者に対して検査などを行う場合、図３に示すように、第２衝立部１６０を取り外して使用する。
【００３４】
なお、本実施例では、つまみ１２３を有したフレーム部１２０を例に挙げて説明したが、下側フレーム部分１２１に対して上側フレーム部分１２２が上下方向にスライド自在であり、上側フレーム部分１２２が下側フレーム部分１２１と係合することにより、上側フレーム部分１２２の位置が決まるものであれば、つまみ１２３は必須の構成要素ではない。
例えば、上側フレーム部分１２２および下側フレーム部分１２１の一方にバネ仕掛けのピンを設け、他方にピンと係合する複数の穴を設けて、ピンをどの穴と係合させるかによって上側フレーム部分１２２の高さ方向の位置が変更する構成でもよい。
【００３５】
このようにして得られた本考案の実施例であるグローブ挿通衝立１００は、設置面と接触する脚部１１０と、脚部１１０から上方へ延設されたフレーム部１２０と、フレーム部１２０に取り付けられた板状であって少なくとも一部が透明な第１衝立部１３０と、第１衝立部１３０に設けられた一対のグローブＧＶを挿通自在な一対の挿通穴１４０とを備え、フレーム部１２０が、下側フレーム部分１２１と、下側フレーム部分１２１の上側に配設されて下側フレーム部分１２１に対して上下方向にスライドする上側フレーム部分１２２とを有して上下方向に伸縮自在に設けられ、第１衝立部１３０が、上側フレーム部分１２２に取り付けられ、第１衝立部１３０の位置が、上下方向に調整自在であることにより、高さ方向における挿通穴１４０の位置を医療従事者の腕の位置に合わせることができ、医療従事者と被験者との間にグローブ挿通衝立１００を設置して、医療従事者は、手や腕を挿通穴１４０にセットされたグローブＧＶに挿通して第１衝立部１３０の透明箇所から目視しながら被験者に対して検査などを行うことができるとともに、飛沫による感染を防止できる。
【００３６】
さらに、脚部１１０が、衝立の一方側Ｓ１へ延設された箇所に衝立の幅方向に延びて設けられた押さえバー１１１と、衝立の他方側Ｓ２へ延設された箇所に設けられたキャスター１１２とを備えていることにより、グローブ挿通衝立１００の姿勢を安定させることができ、グローブ挿通衝立１００が軽量である場合であっても、倒れてしまうことを回避することができ、さらに、グローブ挿通衝立１００を移動させたい場合、医療従事者などのユーザーはグローブ挿通衝立１００を簡単に移動することができる。
【００３７】
また、フレーム部１２０が、伸縮を調整自在なつまみ１２３を有し、第１衝立部１３０が、フレーム部１２０に対して衝立の他方側Ｓ２に取り付けられ、つまみ１２３が、第１衝立部１３０に対して衝立の一方側Ｓ１に位置することにより、被験者がくしゃみや咳をした場合の飛沫がつまみ１２３に付着することを防止し、高さ調整による感染リスクを回避することができる。
【００３８】
さらに、挿通穴１４０にグローブ取付部１５０が設けられ、第１衝立部１３０を基準とした衝立の一方側Ｓ１に突出した第１環状部分１５１と、第１環状部分１５１より衝立の一方側Ｓ１に第１環状部分１５１より外径が大となる第２環状部分１５２とを有し、グローブＧＶ基端であるグローブＧＶ入り口の環状ゴムＧＶ１が、第１環状部分１５１の外周に取り付けられる構成であることにより、使用済みグローブＧＶを取り外す際、グローブＧＶをそのまま廃棄用袋などに入れて使用済みグローブＧＶの表面を触れずに処分することができ、新しいグローブＧＶを取り付ける際、グローブＧＶを簡単にセットすることができる。
【００３９】
また、フレーム部１２０の下側フレーム部分１２１に取り付けられた板状の第２衝立部１６０をさらに有し、上側フレーム部分１２２を上下方向に移動させると、第２衝立部１６０が、上下方向に移動せずに、第１衝立部１３０が、第２衝立部１６０に対して衝立の一方側Ｓ１から他方側Ｓ２へ視て少なくとも一部を重ねた状態で上下方向に移動することにより、飛沫による感染をより確実に防止できるなど、その効果は甚大である。
【符号の説明】
【００４０】
１００  ・・・  グローブ挿通衝立
１１０  ・・・  脚部
１１１  ・・・  押さえバー
１１２  ・・・  キャスター
１２０  ・・・  フレーム部
１２１  ・・・  下側フレーム部分
１２１ａ・・・  吊り下げ用バー
１２１ｂ・・・  下側補助バー
１２２  ・・・  上側フレーム部分
１２２ａ・・・  上側補助バー
１２３  ・・・  つまみ
１３０  ・・・  第１衝立部
１４０  ・・・  挿通穴
１５０  ・・・  グローブ取付部
１５１  ・・・  第１環状部分
１５２  ・・・  第２環状部分
１６０  ・・・  第２衝立部
ＧＶ    ・・・  グローブ
ＧＶ１  ・・・  環状ゴム
Ｓ１    ・・・  衝立の一方側
Ｓ２    ・・・  衝立の他方側
【図１】
0003233039.tif 000003
【図２】
0003233039.tif 000004
【図３】
0003233039.tif 000005
【図４】
0003233039.tif 000006